(57)【要約】【課題】各種入賞装置等に入賞しなかった遊技球を速やかにアウト口に流入させることができ、遊技者の興趣の低下を防止することができる遊技機を提供する。【解決手段】少なくとも第１普通入賞装置３２、第１始動入賞装置３７及び障害釘２７が打たれていない無釘領域４３が第１始動入賞装置用ベース部材３９に形成されてユニット化されている第１始動入賞装置ユニット２１と、第１始動入賞装置ユニット２１の下流側に設けられており、少なくとも無釘領域４３を流下してきた遊技球１０１を第１アウト口２６に誘導するための誘導路５８と、第１アウト口２６とを遊技領域１６に備え、遊技領域１６の上流から下流に向けて、第１始動入賞装置ユニット２１、誘導路５８及び第１アウト口２６が連続して設けられており、誘導路５８には、誘導路５８を流下する遊技球１０１の流下速度を減速させるための減速用リブ６５を形成した。【選択図】図３
2015062610.tif 000002
【特許請求の範囲】
【請求項１】
遊技盤に形成された遊技領域にアウト口が設けられた遊技機であって、
前記遊技領域には、
少なくとも二以上の入賞装置及び障害釘が打たれていない無釘領域がベース部材に形成されてユニット化されている入賞装置ユニットと、
前記入賞装置ユニットの下流側に設けられており、少なくとも前記無釘領域を流下してきた遊技球を前記アウト口に誘導するための誘導路とを備え、
前記遊技領域の上流から下流に向けて、前記入賞装置ユニット、前記誘導路及び前記アウト口が連続して設けられており、
前記誘導路には、前記誘導路を流下する遊技球の流下速度を減速させるための減速用リブが形成されていることを特徴とする遊技機。
【請求項２】
遊技盤には、遊技領域の外縁部にレール部材が設けられており、入賞装置ユニットは、前記レール部材と接触する位置に設けられている、請求項１記載の遊技機。
【請求項３】
減速用リブが設置されている箇所における誘導路の幅は遊技球１個が通過可能な幅である請求項１又は２記載の遊技機。
【請求項４】
複数の入賞装置が高さ方向に異なる位置に設けられている請求項１〜３のいずれかに記載の遊技機。
【請求項５】
複数の入賞装置が水平方向に異なる位置に設けられている請求項１〜４のいずれかに記載の遊技機。
【発明の詳細な説明】
【技術分野】
【０００１】
本発明は、遊技盤に形成された遊技領域にアウト口を備えた遊技機に関する。
【背景技術】
【０００２】
従来から、パチンコ機をはじめとする各種の遊技機が知られている。一般的に、パチンコ機と呼ばれる遊技機には、遊技盤に形成された遊技領域に始動入賞装置や大入賞装置等の各種入賞装置、センター役物及びアウト口等が設けられている。発射装置で弾発された遊技球は、その一部が遊技領域の各種入賞装置及びセンター役物等が設けられている範囲内を流下し、各種入賞装置に形成されている各種入賞口に入賞する。その一方で、発射装置で弾発された遊技球の多くは、各種入賞装置及びセンター役物等が設けられていない範囲を流下してアウト口に流入する。
しかし、近年は、遊技機における演出の多様化に伴い、センター役物が大型化する傾向にある。その一方で、遊技盤の大きさは一定であることから、各種入賞装置を遊技領域に設ける範囲も狭くなりつつある。そのため、近年の遊技機では、各種入賞装置同士を近接して配置することも多くなっている。ところが、一般に遊技機においては、複数の入賞装置を設けることが一般的であるため、狭くなりつつある遊技領域の範囲内にこれら複数の入賞装置を近接させながら配置することも困難になる場合があった。
【０００３】
そこで、近年は、各種入賞装置や遊技機における各種の付属部品等をユニット化して一つのユニット部品として遊技領域に設けることが行われている。例えば、特許文献１には、板状部に第１始動口、一般入賞口、ゲート部を一体成形してユニット化した部品（ユニット化部品という）を備えた遊技機が記載されている。
【先行技術文献】
【特許文献】
【０００４】
【特許文献１】特開２０１２−２３９７３５号公報
【発明の概要】
【発明が解決しようとする課題】
【０００５】
特許文献１に記載されている遊技機のように、ユニット化部品を遊技領域に設ける場合、ベースとなる板状の部材は、成形のしやすさやコスト等の観点から樹脂材料を用いて成形することが多い。しかし、一般に、樹脂材料で成形した板状の部材に障害釘を打つと板状の部材に割れが生じやすく、障害釘を打つことが難しいという問題があった。一方、この板状の部材に割れが生じないようにするためには、板状の部材の肉厚を変更したり、又は下穴を予め設ける必要があり、製造コストや製造時の手間が大幅に増大してしまうという別の問題が生じていた。そのため、従来の遊技機では、遊技領域においてユニット化部品を設けた場合には、そのユニット化部品が設けられている領域には障害釘を打たず、それ以外の領域に障害釘を打つように構成されていた。
【０００６】
しかしながら、一般的に、障害釘は、遊技領域を流下する遊技球が当たることで遊技球の流下方向や流下速度を変えることで、遊技における演出効果を奏するものである。そのため、遊技領域において、ユニット化部品が設けられている領域のように障害釘が打たれていない箇所では、遊技球が流下する方向に変化を持たせることができず、さらには遊技球の流下速度が減速されないという問題があった。そのため、流下する遊技球は、減速されずに勢いが付いたままアウト口を通過してしまい、速やかにアウト口へ流入させることが難しかった。また、このようにアウト口に流入する遊技球が速やかに排出されずに遊技者が視認できるようにしておくと、遊技者の興趣を低下させるおそれもあった。
【０００７】
本発明は、このような問題点に鑑みてなされたものであり、各種入賞装置等に入賞しなかった遊技球を速やかにアウト口に流入させることができ、遊技者の興趣の低下を防止することができる遊技機を提供することを目的とする。
【課題を解決するための手段】
【０００８】
本発明は、
（１）遊技盤に形成された遊技領域にアウト口が設けられた遊技機であって、前記遊技領域には、少なくとも二以上の入賞装置及び障害釘が打たれていない無釘領域がベース部材に形成されてユニット化されている入賞装置ユニットと、前記入賞装置ユニットの下流側に設けられており、少なくとも前記無釘領域を流下してきた遊技球を前記アウト口に誘導するための誘導路とを備え、前記遊技領域の上流から下流に向けて、前記入賞装置ユニット、前記誘導路及び前記アウト口が連続して設けられており、前記誘導路には、前記誘導路を流下する遊技球の流下速度を減速させるための減速用リブが形成されていることを特徴とする遊技機、
（２）遊技盤には、遊技領域の外縁部にレール部材が設けられており、入賞装置ユニットは、前記レール部材と接触する位置に設けられている、上記（１）記載の遊技機、
（３）減速用リブが設置されている箇所における誘導路の幅は遊技球１個が通過可能な幅である上記（１）又は（２）記載の遊技機、
（４）複数の入賞装置が高さ方向に異なる位置に設けられている上記（１）〜（３）のいずれかに記載の遊技機、
（５）複数の入賞装置が水平方向に異なる位置に設けられている上記（１）〜（４）のいずれかに記載の遊技機、
を要旨とする。
【発明の効果】
【０００９】
本発明によれば、遊技球を速やかにアウト口に流入させることができ、遊技者の興趣の低下を防止することが可能になる。
【図面の簡単な説明】
【００１０】
【図１】本発明の実施の形態に係る遊技機の正面図である。
【図２】遊技盤の正面図である。
【図３】（ａ）図は球排出ユニットの正面図であり、（ｂ）図は本実施の形態に係る遊技機の作用効果を説明するための説明図である。
【発明を実施するための形態】
【００１１】
本発明に係る遊技機の実施の形態について、図面を用いて具体的に説明する。なお、本明細書では、本発明に係る遊技機の例としてパチンコ遊技機（以下、単に遊技機と言う。）を用いて説明するが、本発明はパチンコ機以外の遊技機にも使用することができる。また、本明細書においては、遊技機及び遊技機を構成する各部材の「前側」、「後側」、「上側」、「下側」、「左側」及び「右側」は、遊技機を正面から見た場合における表面側（前面側）、背面側（後面側）、「上側」、「下側」、「左側」及び「右側」を示すものとする。また、本明細書においては、遊技球が各種入賞口に流入することを「入賞」と言い、遊技球が入賞することによって遊技者に払い出される遊技球のことを「賞球」と言う。
【００１２】
図１に示すように、遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて構成されており、内部に遊技盤１１等を取付固定することができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１１を視認することができ、かつ遊技盤１１を保護することができるように構成されている。また、前枠４は、遊技に使用する遊技球１０１を一時的に貯留する上受け皿６と、上受け皿６から溢れ出て流下した遊技球１０１を貯留する下受け皿７とをガラス板５の下方に備えている。
【００１３】
遊技機１は、遊技盤１１に向けて遊技球１０１を弾発するための発射装置を内部に備えており、この発射装置の弾発強さを操作ハンドル８の回動量によって調節することができるように構成されている。また、上受け皿６には、遊技球１０１を貯留する貯留スペースの前側に、遊技者が遊技中に押圧操作する各種ボタン９ａ，９ｂ，９ｃが配置されている。また、遊技機１の上部には、音声を出力するためのスピーカ１０が設けられている。
【００１４】
図２に示すように、遊技盤１１は、アクリルやポリカーボネート等の合成樹脂材料で略正方形に形成された平板状の部材である。この遊技盤１１の背面側には、裏ユニット（図示せず）がビス等によって取付固定されている。遊技盤１１には、センター役物としての演出装置１２の装飾枠１３を取り付けるための開口部が略中央部に開口形成されている。また、遊技盤１１の表面には、発射装置で弾発された遊技球１０１を遊技盤１１の上部へ案内するレール部材としての案内レール１５が設けられている。また、遊技盤１１には、案内レール１５により遊技盤１１の上部に案内された遊技球１０１が遊技盤１１の下部に向けて流下する遊技領域１６が形成されている。即ち、遊技盤１１には、遊技領域１６の外延部に案内レール１５が設けられるようにして構成されている。
【００１５】
遊技領域１６には、演出装置１２を視認可能にするとともに装飾枠１３を取り付けるための開口部が略中央部に開口形成されている。また、遊技領域１６には、第１始動入賞装置ユニット２１、大入賞装置２２、通過ゲート２３、第２始動入賞装置ユニット２４等の各種入賞装置ユニットと、球排出ユニット２５と、遊技球１０１が流入する第１アウト口２６とが設けられている。これら第１始動入賞装置ユニット２１、球排出ユニット２５を構成する後述する誘導路５８及び第１アウト口２６は連続して設けられている。また、遊技領域１６には、多数の障害釘２７が打たれている。遊技領域１６を流下する遊技球１０１は、障害釘２７に当たって流下方向を変化させながら、遊技領域１６の上部から下部に向かって流下する。遊技領域１６を流下する遊技球１０１の一部は、各種入賞装置に設けられている各種入賞口（図示せず）に入賞する。また、遊技領域１６を流下する遊技球１０１のうち、各種入賞口に入賞しなかった遊技球１０１は、遊技領域１６に設けられた第１アウト口２６又は第１始動入賞装置ユニット２１に形成されている後述する第２アウト口３８に流入する。
【００１６】
第１始動入賞装置ユニット２１は、遊技盤１１において演出装置１２の下方であって該遊技盤１１の左右方向中央よりも左側の案内レール１５と接触する位置に、ネジ止め等の方法で取付固定されている。
【００１７】
第１始動入賞装置ユニット２１は、第１普通入賞口３１を有する第１普通入賞装置３２、第１入球口３３、第１始動入賞口３４及び第２始動入賞口３５、並びに第１入球口３３から入球した遊技球１０１を第１始動入賞口３４又は第２始動入賞口３５のいずれに入賞させるかを振り分ける振分部３６を有する第１始動入賞装置３７、第２アウト口３８及び第１始動入賞装置用ベース部材３９を有しており、これら第１普通入賞装置３２、第１始動入賞装置３７及び第２アウト口３８が第１始動入賞装置用ベース部材３９に設けられて構成されている。これら第１普通入賞口３１、第１入球口３３、第１始動入賞口３４及び第２始動入賞口３５は、いずれも遊技球１０１が入球又は入賞可能な大きさに開口形成されている。遊技機１では、第１普通入賞口３１に遊技球１０１が入賞すると、所定個数（例えば１５個）の賞球が払い出され、第１始動入賞口３４又は第２始動入賞口３５に遊技球１０１が入賞すると、遊技機１における遊技状態を遊技者に有利な特別遊技状態に移行するか否かを抽選する大当り抽選を行う。また、第２アウト口３８には、第１始動入賞装置ユニット２１に向けて流下してきて、第１普通入賞口３１並びに第１始動入賞口３４及び第２始動入賞口３５のいずれにも入賞しなかった遊技球１０１が流入する。
【００１８】
これら第１普通入賞装置３２及び第１始動入賞装置３７は、第１始動入賞装置用ベース部材３９において、高さ方向及び／又は水平方向に異なる位置に設けられている。例えば、図２に示すように、第１普通入賞装置３２は第１始動入賞装置３７の左側、逆に言えば第１始動入賞装置３７は第１普通入賞装置３２の右側に設けられており、水平方向に異なる位置に設けられている。また、第１普通入賞装置３２は、第１普通入賞口３１の高さ方向の位置が第１始動入賞装置３７の第１始動入賞口３４及び第２始動入賞口３５の高さ方向の位置とは異なる位置に設けられている。なお、図２においては、説明の便宜上、第１始動入賞装置３７の振分部３６、第１始動入賞口３４及び第２始動入賞口３５の構成が識別できるように描いているが、図２に描いているのは第１始動入賞装置３７を構成する前カバー部材４０を取り外した状態であり、通常は、図１に描かれているように、前カバー部材４０を取り付けた状態で使用される。
【００１９】
第１始動入賞装置用ベース部材３９は、第１始動入賞装置ユニット２１を遊技盤１１にネジ止め等の方法によって取付固定するためのものであり、所定の形状を有する板状の部材として、例えばポリカーボネート等のような合成樹脂材料で形成されている。この第１始動入賞装置用ベース部材３９には、遊技盤１１に取付固定する際に使用するネジ止め孔４１が貫通形成されており、このネジ止め孔４１にネジ（図示せず）が挿通されることで、遊技盤１１に取付固定される。また、第１始動入賞装置用ベース部材３９には、無釘領域４３が形成されている。無釘領域４３は、障害釘２７が打たれていない領域であり、第１始動入賞装置用ベース部材３９においては、第１普通入賞装置３２、第１始動入賞装置３７及び第２アウト口３８が設けられていない領域に形成されている。
【００２０】
大入賞装置２２は、遊技盤１１において演出装置１２の下方であって遊技盤１１の左右方向中央よりも右側にネジ止め等の方法で取付固定されている。大入賞装置２２は、大入賞口（図示せず）と、この大入賞口を開閉するための扉部材５１を備えている。遊技機１では、上記した大当り抽選に当選して遊技状態が特別遊技状態に移行した場合に、所定個数（例えば１０個）の遊技球１０１が入賞するか、または所定時間（例えば３０秒）が経過するまでの間、扉部材５１が開いて大入賞口に遊技球１０１が入賞し、その入賞した遊技球１０１の数に対応した数の賞球を払い出す。
【００２１】
通過ゲート２３は、遊技盤１１の上下方向の略中央であって、該遊技盤１１の左右方向中央よりも右側にネジ止め等の方法で取付固定されている。通過ゲート２３は、遊技球１０１が通過可能な大きさに形成された通過入賞口（図示せず）を有している。遊技球１０１が通過入賞口を通過すると、予め定められた確率の下で抽選を行う。
【００２２】
第２始動入賞装置ユニット２４は、遊技盤１１において通過ゲート２３と大入賞装置２２との間の高さ位置であって、遊技盤１１の左右方向中央よりも右側にネジ止め等の方法で取付固定されている。第２始動入賞装置ユニット２４は、第３始動入賞口（図示せず）と、この第３始動入賞口を開閉するための開閉扉５２が設けられた第２始動入賞装置５３、第２普通入賞口（図示せず）を有する第２普通入賞装置５４及び第３普通入賞口（図示せず）を有する第３普通入賞装置５５を備えている。これら第２始動入賞口、第２普通入賞口及び第３普通入賞口は、いずれも遊技球１０１が入賞可能な大きさに形成されている。遊技機１では、第２始動入賞口に遊技球１０１が入賞すると、遊技状態を特別遊技状態に移行するか否かを抽選する大当り抽選を行う。また、第２普通入賞口又は第３普通入賞口に遊技球１０１が入賞すると、所定個数（例えば１５個）の賞球を払い出す。
【００２３】
球排出ユニット２５は、遊技領域１６の下部において、該遊技領域１６の左右方向中央から左側に位置するように設けられている。図３（ａ）に示すように、遊技の進行に応じて各種の演出を行う第１演出部５６及び第２演出部５７を備えている。また、球排出ユニット２５は、遊技球１０１を第１アウト口２６に誘導するための誘導路５８が形成されている。誘導路５８は、第１入賞装置ユニットの下流側に設けられており、無釘領域４３を流下してきた遊技球１０１を第１アウト口２６に誘導するためのものである。
【００２４】
誘導路５８は、互いに対向する第１壁部５９と第２壁部６０を備えている。本実施の形態では、第１壁部５９は第２壁部６０よりも上方に位置し、第２壁部６０は第１壁部５９よりも下方に位置するように設けられている。第１壁部５９には、第２壁部６０と対向する第１壁面６１が形成されている。この第１壁面６１には、第２壁部６０に向けて突出形成される第１リブ６２が形成されている。また第１リブ６２は、遊技球１０１が第１アウト口２６に向けて誘導路５８を流下する場合におけるこの流下方向と直交する方向に延びるように形成されている。また、第１リブ６２は、所定間隔をあけて複数個が形成されている。また、第１リブ６２は、誘導路５８において、遊技球１０１が該誘導路５８に流入する側としての上流側に位置するように形成されている。
【００２５】
第２壁部６０には、第１壁部５９と対向する第２壁面６３が形成されている。この第２壁面６３には、第１壁部５９に向けて突出形成される第２リブ６４が形成されている。第２リブ６４は、遊技球１０１が第１アウト口２６に向けて誘導路５８を流下する場合におけるこの流下方向と直交する方向に延びるように形成されている。また、第２リブ６４は、所定間隔をあけて複数個が形成されている。さらに、第２リブ６４は、誘導路５８において、遊技球１０１が該誘導路５８の上流側に位置するように形成されている。
【００２６】
これら第１リブ６２及び第２リブ６４は、本発明における減速用リブ６５を構成し、無釘領域４３を流下してきた遊技球１０１が流下時に当たることで流下速度を減速させるためのものである。これら第１リブ６２及び第２リブ６４が形成されている箇所における誘導路５８の幅は、遊技球１０１が１個、通過可能な幅であることが好ましい。このような幅を有することにより、誘導路５８を通過する遊技球１０１が少なくとも第１リブ６２又は第２リブ６４に確実に当たるため、遊技球１０１の流下速度をより効果的に減速させることができる。なお、本実施の形態では、第１リブ６２と第２リブ６４というように、減速用リブ６５を複数のリブによって構成した例を用いて説明しているが、第１リブ６２又は第２リブ６４のいずれかのみを設けてもよい。また、本実施の形態では、第１リブ６２と第２リブ６４とが交互に位置するように減速用リブ６５を構成しているが、リブの構成に関してもこれに限定されるものではない。
【００２７】
次に、本実施の形態に係る遊技機１の作用効果について説明する。上記した通り、遊技領域１６には、該遊技領域１６の上流側から下流側に向けて、第１始動入賞装置ユニット２１、球排出ユニット２５及び第１アウト口２６が連続して設けられている。遊技領域１６において、第１始動入賞装置ユニット２１の上流側には障害釘２７が打たれているので、発射装置により弾発されて遊技領域１６を流下する遊技球１０１は、まず障害釘２７に当たりながら遊技領域１６を流下する。そして、遊技球１０１は、第１始動入賞装置ユニット２１が設けられている高さ位置まで流下すると、第１始動入賞装置ユニット２１の第１始動入賞装置用ベース部材３９に形成された無釘領域４３を流下する。無釘領域４３においては、遊技球１０１は障害釘２７等に当たることなく流下する。そのため、遊技球１０１は、無釘領域４３を流下する時には、障害釘２７が打たれている領域を流下する場合に比べて加速される。図３（ｂ）に示すように、遊技球１０１は、無釘領域４３を流下すると、球排出ユニット２５の誘導路５８に流入する。遊技球１０１は、誘導路５８に流入すると、該誘導路５８の上流側に設けられている第１リブ６２及び／又は第２リブ６４に当たって減速されながら、該誘導路５８を通過する。そのため、誘導路５８において第１リブ６２及び第２リブ６４が形成されている箇所を通過した遊技球１０１の流下速度は、誘導路５８に流入する直線の流下速度に比べて減少される。
【００２８】
そして、遊技球１０１は、第１リブ６２及び第２リブ６４が設けられている箇所を通過した後は、誘導路５８内を流下するものの、遊技球１０１の流下速度は第１リブ６２及び／又は第２リブ６４によって減少しており、また誘導路５８も第１アウト口２６に向けて所定の傾斜角度を持つように形成されていることから、無釘領域４３を流下する場合に比べて遊技球１０１が加速する度合いを少なくすることができる。そのため、第１リブ６２及び第２リブ６４を誘導路５８の上流側に配置しても、これら第１リブ６２及び第２リブ６４よりも下流側において遊技球１０１が加速される量は少なく、誘導路５８内を通過した遊技球１０１は第１アウト口２６に速やかに流入する。つまり、第１リブ６２及び第２リブ６４を誘導路５８内に形成することによって、該誘導路５８を通過した遊技球１０１が第１アウト口２６に速やかに流入せず、図３（ｂ）に記載したように、第１アウト口２６を通過して該第１アウト口２６の右側まで転動し、その後に第１アウト口２６に流入するというように遊技球１０１が転動することを防止することができる。このように遊技球１０１が転動することを防止することによって、第１アウト口２６に流入する遊技球１０１同士がぶつかる等して遊技球１０１が第１アウト口２６に速やかに流入しなくなったり、第１アウト口２６に流入すべき遊技球１０１を遊技者が長時間視認することによる遊技者の興趣の低下を確実に防止することが可能になる。また、本実施の形態に係る遊技機１においては、第１リブ６２及び第２リブ６４が形成されている箇所における誘導路５８の幅は遊技球１０１が１個、通過可能な幅であるように形成されているので、誘導路５８に流入した遊技球１０１が確実に第１リブ６２及び／又は第２リブ６４に当たり、減速されるようにすることができる。したがって、より確実に、誘導路５８を通過した遊技球１０１を速やかに第１アウト口２６に流入させることができ、遊技者の興趣の低下を防止することが可能になる。
【００２９】
なお、本実施の形態では、無釘領域４３を流下した遊技球１０１が誘導路５８に流入し、その後第１リブ６２及び／又は第２リブ６４によって流下速度を減速される例を用いて説明したが、これに限定されるものではない。例えば、無釘領域４３以外の障害釘２７が打たれている領域を流下してきた遊技球１０１が誘導路５８に流入し、第１リブ６２及び／又は第２リブ６４によって流下速度が減速され、第１アウト口２６に案内されるように構成してもよい。
【００３０】
以上、本発明に係る遊技機の実施の形態について詳細に説明したが、本明細書に記載した遊技機の構成及び作用効果は、本発明に係る遊技機に関する一つの例を示したに過ぎず、これに限定させるものではない。また、本発明に係る遊技機においては、本発明の趣旨を逸脱しない範囲において、適宜その構成を変更してもよい。
【符号の説明】
【００３１】
１  遊技機
１１  遊技盤
１５  案内レール
１６  遊技領域
２１  第１始動入賞装置ユニット
２５  球排出ユニット
２６  第１アウト口
２７  障害釘
３１  第１普通入賞口
３２  第１普通入賞装置
３３  第１入球口
３４  第１始動入賞口
３５  第２始動入賞口
３７  第１始動入賞装置
３８  第２アウト口
３９  第１始動入賞装置用ベース部材
４３  無釘領域
５８  誘導路
５９  第１壁部
６０  第２壁部
６１  第１壁面
６２  第１リブ
６３  第２壁面
６４  第２リブ
６５  減速用リブ
１０１  遊技球
【図１】
2015062610.tif 000003
【図２】
2015062610.tif 000004
【図３】
2015062610.tif 000005